(57)【要約】      （修正有）【課題】スタックの多様な運転条件に合わせて能動的に加湿量を適切に調節可能な燃料電池用加湿器を提供する。【解決手段】本発明による燃料電池用加湿器は、加湿膜を収容する膜モジュール部１０と、膜モジュール部の一側に結合され、加湿膜に供給空気を供給する第１キャップ部２０と、膜モジュール部の一側の反対側で加湿された供給空気を排出する第２キャップ部３０と、膜モジュール部の一側に結合され、燃料電池スタックから排出される排出空気を膜モジュール部に注入する排出空気流入部１５と、膜モジュールの他側に結合され、膜モジュール部を通過した除湿された排出空気を排気系統へ排出する排出空気排出部１７とを含む。第１キャップ部には、供給空気流入流路の内部の圧力によって供給空気流入流路の中心に向かう内側方向と内側方向の反対方向である外側方向に移動され、供給空気流入流路の一部分の流路断面積が可変される可変部材１００が設けられる。【選択図】図１
2020092079.tif 000002
【特許請求の範囲】
【請求項１】
加湿膜を内部に収容する膜モジュール部と、
前記膜モジュール部の一側に結合され、前記加湿膜に供給空気を供給する第１キャップ部と、
前記膜モジュール部の、前記一側の反対側である他側に結合され、前記加湿膜から流入される加湿された供給空気を排出する第２キャップ部と、
前記膜モジュール部の前記一側に結合され、燃料電池スタックから排出される排出空気を前記膜モジュール部に注入する排出空気流入部と、
前記膜モジュールの前記他側に結合され、前記膜モジュール部を通過した除湿された（ｄｅｈｕｍｉｄｉｆｉｅｄ）排出空気を排気系統へ排出する排出空気排出部とを含み、
前記第１キャップ部には、前記加湿膜に供給される供給空気が流れる供給空気流入流路と、前記供給空気流入流路の内部に設置されるか又は少なくとも一部分が前記供給空気流入流路の内側へ進入可能に備えられる可変部材とが設けられ、
前記供給空気流入流路の内部の圧力により、前記可変部材が、前記供給空気流入流路の中心に向かう内側方向と前記内側方向の反対方向である外側方向に移動させられ、前記供給空気流入流路の少なくとも一部分の流路断面積が可変となるように設けられる、燃料電池用加湿器。
【請求項２】
前記第１キャップ部は、前記供給空気流入流路及び前記可変部材が収容される内部空間を設ける第１キャップ部ハウジングを含み、
前記第１キャップ部ハウジングは、前記排出空気流入部と連通され、排出空気が前記第１キャップ部ハウジングの内部空間に流入され、
供給空気により前記可変部材の一側面が受ける力と、排出空気により前記可変部材の他側面が受ける力の差によって、前記可変部材が、前記内側方向と前記外側方向に移動させられる、請求項１に記載の燃料電池用加湿器。
【請求項３】
前記可変部材は、前記第１キャップ部ハウジングに軸回転可能に設置され、前記供給空気流入流路の一部分を形成するプレートを含み、
前記プレートは、一端が前記第１キャップ部ハウジングの一側に設置され、他端が前記膜モジュールの入口に向かって延長され、
供給空気により前記プレートの内側面が受ける力と、排出空気により前記プレートの外側面が受ける力の差によって、前記プレートが、前記内側方向と前記外側方向に回転させられる、請求項２に記載の燃料電池用加湿器。
【請求項４】
前記可変部材は、前記プレートを弾性支持するために、前記第１キャップ部ハウジングの内部空間に設置される弾性部材をさらに含む、請求項３に記載の燃料電池用加湿器。
【請求項５】
前記プレートの動きが許容されるようにするために、前記プレートと前記供給空気流入流路の、固定された部分の間を連結しつつ伸縮可能に設けられる連結部材をさらに含む、請求項３に記載の燃料電池用加湿器。
【請求項６】
前記第１キャップ部ハウジングは、供給空気が流入される一側から前記膜モジュール部と結合される他側に行くほど内部空間が広くなるように形成され、前記プレートが前記外側方向に所定角度だけ回転させられ得るように設けられる、請求項３に記載の燃料電池用加湿器。
【請求項７】
前記第１キャップ部ハウジングの一側には、供給空気が流入される供給空気注入口が形成され、
前記供給空気流入流路の流路断面積は、前記供給空気注入口の流路断面積より広く形成される、請求項３に記載の燃料電池用加湿器。
【請求項８】
前記プレートは、第１及び第２プレートを含み、
前記第１キャップ部ハウジングの内部空間には、一対の固定流路壁が互いに向き合うように固定され、前記第１及び第２プレートが一対の固定流路壁の一側及び他側に互いに向き合って配置され、
前記第１及び第２プレートのそれぞれは、前記第１キャップ部ハウジングに軸回転可能に設置され、前記一対の固定流路壁と前記第１及び第２プレートが共に前記供給空気流入流路を形成する、請求項３に記載の燃料電池用加湿器。
【請求項９】
前記可変部材は、前記供給空気流入流路の内部に設置され、
ヘッドプレートと、前記ヘッドプレートを弾性支持し前記供給空気流入流路の内側に向けて前記ヘッドプレートを押す内部弾性部材と、前記ヘッドプレートと前記供給空気流入流路の間の気密を維持し、前記ヘッドプレートの動きが許容されるようにするために、伸縮可能に設けられる伸縮部材とを含み、
前記ヘッドプレートと前記伸縮部材によって、前記内部弾性部材が収容される可変部材の内部空間が設けられ、
前記供給空気流入流路の、前記可変部材が設置される部分には貫通ホールが形成され、前記貫通ホールを介して排出空気が前記可変部材の内部空間に流入されて前記ヘッドプレートの外側面を加圧し、
供給空気により前記ヘッドプレートの内側面が受ける力と、排出空気により前記ヘッドプレートの外側面が受ける力の差によって、前記ヘッドプレートが、前記内側方向と前記外側方向に移動させられる、請求項２に記載の燃料電池用加湿器。
【発明の詳細な説明】
【技術分野】
【０００１】
本発明は、燃料電池用加湿器に関する。
【背景技術】
【０００２】
燃料電池システムは、連続的に供給される燃料の化学的な反応により電気エネルギーを継続的に生産するシステムであって、地球環境問題を解決できる代案として持続的な研究開発が行われている。
【０００３】
燃料電池システムは、用いられる電解質の種類によってリン酸型燃料電池（ＰＡＦＣ；ｐｈｏｓｐｈｏｒｉｃ  ａｃｉｄ  ｆｕｅｌ  ｃｅｌｌ）、溶融炭酸塩型燃料電池（ＭＣＦＣ；ｍｏｌｔｅｎ  ｃａｒｂｏｎａｔｅ  ｆｕｅｌ  ｃｅｌｌ）、固体酸化物形燃料電池（ＳＯＦＣ；ｓｏｌｉｄ  ｏｘｉｄｅ  ｆｕｅｌ  ｃｅｌｌ）、高分子電解質型燃料電池（ＰＥＭＦＣ；ｐｏｌｙｍｅｒ  ｅｌｅｃｔｒｏｌｙｔｅ  ｍｅｍｂｒａｎｅ  ｆｕｅｌ  ｃｅｌｌ）、アルカリ型燃料電池（ＡＦＣ；ａｌｋａｌｉｎｅ  ｆｕｅｌ  ｃｅｌｌ）及び直接メタノール燃料電池（ＤＭＦＣ）等に分類でき、用いられる燃料の種類とともに作動温度、出力範囲等によって移動電源用、輸送用、分散発電用等の多様な応用分野に適用され得る。
【０００４】
このうち、高分子電解質型燃料電池は、内燃機関の代わりをするように開発されている水素自動車（水素燃料電池の自動車）分野に適用されている。
【０００５】
水素自動車は、水素と酸素の化学反応を介して電気を生産し、モーターを駆動して走行するように構成される。したがって、水素自動車は、水素（Ｈ２）が保存される水素タンク（Ｈ２  Ｔａｎｋ）、水素と酸素（Ｏ２）の酸化還元反応を介して電気を生産するスタック（ＦＣ  ＳＴＡＣＫ：Ｆｕｅｌ  Ｃｅｌｌ  Ｓｔａｃｋ）、生成された水を排水するための各種装置だけでなく、スタックで生産された電気を保存するバッテリー、生産された電気を変換及び制御するコントローラー、駆動力を生成するモーター等を含む構造を有する。
【０００６】
このうち、スタックは、数十又は数百個のセルを直列で積み上げた燃料電池本体を称する装置であって、エンドプレートの間に複数個のセルが積層された構造を有し、且つ、それぞれのセルの内部は電解質膜で区画され、一側はアノード他側はカソードが設けられる。
【０００７】
それぞれのセルの間には分離板が配置されて水素と酸素の流動経路を制限し、前記分離板は酸化還元反応時に電子を移動させるように伝導体（電気伝導体）で製造される。
【０００８】
このようなスタックは、アノードに水素が供給されれば触媒によって水素イオンと電子に分離され、電子は分離板を介してスタック外部に移動しながら電気を生産し、水素イオンは電解質膜を通過てカソードに移動した後、外気から供給される酸素及び電子と結合して水を形成し外部に排出される。
【０００９】
一方、燃料電池の運転時には、電解質膜を介して水素イオンが移動する時に外気から供給される他の成分の一部も移動が発生する問題がある。すなわち、大気の成分は、酸素が約２１％、窒素が約７８％で構成されるため、外気から流入された空気には、酸素よりさらに多い窒素が含有される。このとき、カソードから電解質膜を介してアノードへ移動した窒素は、アノード内に残るようになり水素濃度を相対的に低下させる問題をもたらすことになる。アノード内の水素濃度が一定水準以下になると、性能低下はもちろん耐久性低下の原因になる。
【００１０】
このような問題を解決するために、スタック内のアノードには、排気ラインが連結されパージ弁の開閉により前記アノード内のガスを一定周期に外部へ排出するように構成される。しかし、アノードから排出されるパージガスには、相当な濃度の水素（一般的に６０〜７０％水準）が含まれている。このように排出され捨てられる水素は、水素利用率の低下による燃料電池システムの効率低下をもたらす問題がある。
【００１１】
高分子電解質型燃料電池は、膜−電極接合体（Ｍｅｍｂｒａｎｅ  Ｅｌｅｃｔｒｏｄｅ  Ａｓｓｅｍｂｌｙ；ＭＥＡ）の高分子電解質膜に一定量の水分を供給し、適正含水率を維持してこそ発電効率が維持され得る。
【００１２】
燃料電池システムは、スタック内部に流入される流入ガスを加湿するために加湿器を含んで構成されてもよい。
【００１３】
加湿器は、燃料電池スタック内部の湿度状態によって加湿量の調節が必要であるが、スタック内部が過湿の場合にも流入ガスの拡散が低下され発電効率が低下され得るからである。
【００１４】
このために、従来の燃料電池システムには、流入ガスの一部が加湿器を通過せず、スタックに真直ぐ連結されるようバイパス流路を形成し、他の一部が加湿されるよう構成もしたが、この場合、システムが複雑になる問題があった。
【発明の概要】
【発明が解決しようとする課題】
【００１５】
本発明は、スタックの多様な運転条件に合わせて能動的に加湿量を適切に調節可能な燃料電池用加湿器を提供することに主目的がある。
【００１６】
本発明の課題は、以上で言及した課題に制限されず、言及されていない他の課題は、以下の記載から当業者に明確に理解されるはずであろう。
【課題を解決するための手段】
【００１７】
前記課題を達成するために、本発明の一実施形態による燃料電池用加湿器は、加湿膜を内部に収容する膜モジュール部と、膜モジュール部の一側に結合され、加湿膜に供給空気を供給する第１キャップ部と、膜モジュール部の、一側の反対側である他側に結合され、加湿膜から流入される加湿された供給空気を排出する第２キャップ部と、膜モジュール部の一側に結合され、燃料電池スタックから排出される排出空気を膜モジュール部に注入する排出空気流入部と、膜モジュールの他側に結合され、膜モジュール部を通過した除湿された（ｄｅｈｕｍｉｄｉｆｉｅｄ）排出空気を排気系統へ排出する排出空気排出部とを含む。
【００１８】
前記第１キャップ部には、加湿膜に供給される供給空気が流れる供給空気流入流路と、供給空気流入流路の内部に設置されるか又は少なくとも一部分が供給空気流入流路の内側へ進入可能に備えられる可変部材が設けられ、供給空気流入流路の内部の圧力により、可変部材が、供給空気流入流路の中心に向かう内側方向と内側方向の反対方向である外側方向に移動させられ、供給空気流入流路の少なくとも一部分の流路断面積が可変となるように設けられる。
【発明の効果】
【００１９】
本発明の実施形態によれば、次のような効果が一つ或いはそれ以上ある。
【００２０】
供給空気流入流路の内部の圧力により、可変部材が、供給空気流入流路の中心に向かう内側方向と内側方向の反対方向である外側方向に移動され、供給空気流入流路の少なくとも一部分の流路断面積が可変されるように設けられることで、別途の電源供給なしにも加湿器の加湿量が能動的に調節され得る。
【００２１】
これを介して、スタックの多様な運転条件に合わせて能動的に加湿量が調節されることで、スタックの内部でドライング又はフラッディングが発生し、スタックの性能が減少されるか、ひいてはスタックが損傷されることを防止できる。
【００２２】
本発明の効果は、以上で言及した効果に制限されず、言及されていない他の効果は、特許請求範囲の記載から当業者に明確に理解されるはずであろう。
【図面の簡単な説明】
【００２３】
【図１】本発明の一実施形態による燃料電池用加湿器を概略的に示した図である。
【図２ａ】図１のＡ−Ａ’断面図である。
【図２ｂ】図１のＢ−Ｂ’断面図である。
【図３】図１の燃料電池用加湿器の動作を説明するための図である。
【図４】図１の燃料電池用加湿器の動作を説明するための図である。
【図５】本発明の他の実施形態による燃料電池用加湿器を概略的に示した図である。
【発明を実施するための形態】
【００２４】
以下、本発明の一部実施形態を例示的な図面を介して詳細に説明する。各図面の構成要素に参照符号を付加することにおいて、同一の構成要素に対してはたとえ他の図面上に表示されるとしても、出来る限り同一の符号を有するようにしていることに留意しなければならない。また、本発明の実施形態を説明することにおいて、関連された公知構成又は機能に対する具体的な説明が本発明の実施形態に対する理解を邪魔すると判断される場合には、その詳細な説明は省略する。
【００２５】
また、本発明の実施形態の構成要素を説明することにおいて、第１、第２、Ａ、Ｂ、（ａ）、（ｂ）等の用語を用いてよい。このような用語は、その構成要素を他の構成要素と区別するためだけのものであり、その用語によって当該構成要素の本質や順番又は順序等が限定されない。ある構成要素が他の構成要素に『連結』、『結合』又は『接続』されると記載された場合、その構成要素は、その他の構成要素に直接的に連結されるか接続されてよいが、各構成要素の間にまた他の構成要素が『連結』、『結合』又は『接続』されてもよいと理解されなければならない。
【００２６】
図１は、本発明の一実施形態による燃料電池用加湿器を概略的に示した図であり、図２ａは、図１のＡ−Ａ’断面図であり、図２ｂは、図１のＢ−Ｂ’断面図である。
【００２７】
本発明の実施形態による燃料電池用加湿器は、水素としての燃料と酸化剤である空気の電気化学的な反応によって電気エネルギーを発生させる燃料電池システムに適用されてよい。例えば、前記燃料電池システムは、燃料電池車両に採用され電気モーターを作動させて車両を駆動させることができる。
【００２８】
本発明の実施形態による燃料電池用加湿器は、燃料電池スタックから排出される排出空気と空気圧縮機から供給される供給空気の膜加湿が行われ、その加湿された空気（以下では、便宜上『加湿空気』と言う）を燃料電池スタックへ供給できる。
【００２９】
このような燃料電池用加湿器は、基本的に膜モジュール部１０、第１キャップ部２０及び第２キャップ部３０を含む。
【００３０】
前記膜モジュール部１０は、当業界で『シェル−イン（ｓｈｅｌｌ−ｉｎ）』とも言い、複数の束の中空糸膜である加湿膜１１が内部に密集されたものであり、例えば、円筒形状のハウジング内部に加湿膜１１が内蔵されてよい。
【００３１】
膜モジュール部１０は、加湿膜１１の両端を支持する支持部材（当業界では『ポッティング部』とも言う）を含んでよい。例えば、前記支持部材は、高分子素材でなり、ハウジングの両端に固定された状態で加湿膜１１の両端部を支持できる。
【００３２】
膜モジュール部１０には、燃料電池スタックから排出される排出空気をハウジングの内部に注入するための排出空気流入口１５と、水分が除去された排出空気を排気系統に排出するための排出空気排出口１７が形成される。
【００３３】
図１を参照すれば、本実施形態において前記排出空気流入口１５と前記排出空気排出口１７は、膜モジュール部１０の上端にそれぞれ形成されるが、これに限定されず、膜モジュール部１０の上端及び下端にそれぞれ形成されてもよい。
【００３４】
前記第１キャップ部２０は、当業界で『キャップ−イン（ｃａｐ−ｉｎ）』とも言い、空気圧縮機を介して供給される供給空気を膜モジュール部１０の内部に注入するために設けられる。前記第１キャップ部２０は、膜モジュール部１０の一側端部に結合される。前記第１キャップ部２０には、供給空気を膜モジュール部１０に供給するための供給空気注入口２１が形成される。
【００３５】
前記第２キャップ部３０は、当業界で『キャップ−アウト（ｃａｐ−ｏｕｔ）』とも言い、膜モジュール部１０から流入された加湿空気を燃料電池スタックに排出するためのものである。前記第２キャップ部３０は、膜モジュール部１０の他の一側端部に結合される。第２キャップ部３０には、その加湿空気を燃料電池スタックに排出するための加湿空気排出口３１が形成される。
【００３６】
従来の燃料電池用加湿器は、特定形状に固定され、燃料電池システムの作動条件に対応して能動的に加湿量を調節しにくい問題点が存在した。それにより、燃料電池システムが高出力の条件では燃料電池スタックが充分に加湿されず、乾燥（Ｄｒｙｉｎｇ）するようになって高い膜抵抗による性能低下が発生するか、燃料電池システムが低出力の条件では燃料電池スタックが過度に加湿され、セル内のフラッディング（Ｆｌｏｏｄｉｎｇ）で空気流入を塞ぐようになり、性能低下が発生する問題点があった。
【００３７】
本実施形態による燃料電池システムの作動条件に対応し、能動的に加湿性能が調節され得る燃料電池用加湿器に関するものである。より具体的に、本実施形態による燃料電池用加湿器は、燃料電池システムの作動条件に対応して能動的に加湿性能を調節するため、加湿膜１１に供給される供給空気が流れる供給空気流入流路の内部の圧力により、前記供給空気流入流路の中心に向かう内側方向と前記内側方向の反対方向である外側方向に移動され、前記供給空気流入流路の少なくとも一部分の流路断面積が可変となるようにする可変部材１００を含むことに基本的な特徴がある。
【００３８】
以下の説明において加湿器の加湿性能は、加湿器自体の特性による最大加湿性能を意味するのではなく、加湿器が動作する条件により変化する加湿性能を意味するものと理解しなければならない。
【００３９】
本実施形態による燃料電池用加湿器の特徴を以下でより詳細に上述する。
【００４０】
第１キャップ部２０は、第１キャップ部ハウジング２２を含み、第１キャップ部ハウジング２２は、内部空間を設け、排出空気流入口１５と連通され、排出空気が第１キャップ部ハウジングの内部空間２２ｓに流入されてよい。
【００４１】
前記第１キャップ部２０には、加湿膜１１に供給される供給空気が流れる供給空気流入流路２４が設けられてよい。
【００４２】
第１キャップ部２０は、供給空気流入流路２４の内部に設置されるか又は少なくとも一部分が前記供給空気流入流路２４の内側へ進入可能に備えられる可変部材１００を含んでよい。
【００４３】
供給空気流入流路２４と可変部材１００は、第１キャップ部ハウジング２２の内部空間に設けられてよい。
【００４４】
前記第１キャップ部ハウジング２２は、供給空気が流入される一側から前記膜モジュール部１０と結合される他側に行くほど内部空間が広くなるように形成され、プレート１１０が前記外側方向に所定角度で回転され得るように設けられてよい。
【００４５】
前記第１キャップ部ハウジング２２の一側には、供給空気が流入される供給空気注入口２１が形成される。
【００４６】
前記供給空気流入流路２４の流路断面積は、前記供給空気注入口２１の流路断面積より広く形成され、前記供給空気流入流路２４に流入されつつ供給空気の圧力が上昇されるように設けられてよい。
【００４７】
可変部材１００は、プレート１１０と、弾性部材１２０と、連結部材１３０とを含んでよい。
【００４８】
プレート１１０は、一端が第１キャップ部ハウジング２２の一側に設置され、他端が膜モジュール部１０の入口に向かって延長されてよい。
【００４９】
プレート１１０は、第１及び第２プレート１１０を含んでよい。第１及び第２プレート１１０は、一対の固定流路壁２３の一側及び他側にそれぞれ連結されてよい。
【００５０】
前記第１キャップ部ハウジング２２の内部空間には、一対の固定流路壁２３が互いに向き合うように固定され、前記第１及び第２プレート１１０が一対の固定流路壁２３の一側及び他側に互いに向き合って配置されてよい。
【００５１】
これにより、前記一対の固定流路壁２３と前記第１及び第２プレート１１０が共に前記供給空気流入流路２４を形成するようになる。
【００５２】
連結部材１３０は、プレート１１０の動きが許容されるようにするために、プレート１１０及びプレート１１０と連結されるようになる部材の間にそれぞれ設けられてよい。すなわち、プレート１１０は、連結部材１３０によって間接的に固定流路壁２３、第１キャップ部ハウジング２２、及び膜モジュール部１０と連結されてよい。
【００５３】
連結部材１３０は、プレート１１０と第１キャップ部ハウジング２２を互いに連結する第１連結部材１３１を含んでよい。連結部材１３０は、プレート１１０と膜モジュール部１０を互いに連結する第２連結部材１３２を含んでよい。連結部材１３０は、プレート１１０と固定流路壁２３を互いに連結する第３連結部材１３３を含んでよい。
【００５４】
プレート１１０は、一端が第１連結部材１３１によって第１キャップ部ハウジング２２の一側に結合されてよい。すなわち、プレート１１０は、厳しい意味で一定の回転軸を中心に回転するように設置されてよく、又はプレート１１０は、ある程度回転する中心軸が変化されるが、全体的に見てはプレート１１０が軸回転するように見えてよい。
【００５５】
プレート１１０の他端は、第２連結部材１３２によって膜モジュール部１０の一端に連結されてよい。但し、プレート１１０が必ず膜モジュール部１０の一端と連結されなければならないのではなく、供給空気流入流路２４を形成する流路壁のうち膜モジュール部１０の一端に連結される流路壁と連結されてもよい。
【００５６】
弾性部材１２０は、プレート１１０を弾性支持するために第１キャップ部ハウジングの内部空間２２ｓに設置されてよい。弾性部材１２０は、一端が第１キャップ部ハウジング２２に固定され、他端がプレート１１０に固定されてよい。
【００５７】
通常、空気圧縮機によって加湿器に供給される空気の流れによる圧力降下を考慮する時、加湿器での内部圧力は、第１キャップ部２０の供給空気流入流路２４＞第２キャップ部３０＞膜モジュール部１０の順である。すなわち、供給空気流入流路２４の内部に流動される供給空気の圧力ＰＩＮが第１キャップ部ハウジングの内部空間２２ｓに流動される排出空気の圧力ＰＥＸより通常高い。
【００５８】
したがって、弾性部材１２０は、供給空気流入流路２４の中心に向けてプレート１１０を弾性支持するように設けられてよい。
【００５９】
このように設けられるプレート１１０は、供給空気によって前記プレート１１０の内側面が受ける力と、排出空気によって前記プレート１１０の外側面が受ける力の差によって、前記内側方向と前記外側方向に回転されてよい。
【００６０】
図３及び図４は、図１の燃料電池用加湿器の動作を説明するための図である。
【００６１】
図３は、燃料電池システムが低出力条件の時を示した図である。
【００６２】
燃料電池システムが低出力条件の時、燃料電池スタックに供給される供給空気の圧力が減少するようになる。供給空気流入流路２４の内部で供給空気の圧力ＰＩＮも相対的に減少するようになり、第１キャップ部ハウジングの内部の排出空気の圧力ＰＥＸもまた減少するようになる。
【００６３】
プレート１１０に加えられる主力は、供給空気の圧力ＰＩＮによってプレート１１０の内側面に加えられる力、排出空気の圧力ＰＥＸによってプレート１１０の外側面に加えられる力、そして、弾性部材１２０によって加えられる弾性力があるが、燃料電池システムが低出力条件の時には弾性力が全体合力において占める比重が大きくなる。
【００６４】
これにより、弾性部材１２０の弾性力によってプレート１１０が回転しつつ供給空気流入流路２４の内側方向に引込まれるようになる。
【００６５】
プレート１１０が回転しつつ供給空気流入流路２４の内側方向に引込まれるようになれば、供給空気流入流路２４の、膜モジュール部１０と隣接する一端部での流路断面積が減少されるようになる。供給空気は、供給空気流入流路２４の狭くなった流路に沿って流動しつつ膜モジュール部１０に流入されるようになり、このとき、膜モジュール部１０の全体加湿領域のうち一部に供給空気が流入されるようになる。このとき、供給空気が流入される膜モジュール部１０の加湿領域を第１有効領域Ａ１と言う時、図３のように第１有効領域Ａ１が表れてよい。
【００６６】
膜モジュール部１０の全体加湿領域のうち一部にのみ供給空気が流入されるようになれば、膜モジュール部１０の加湿領域全体に供給空気が流入される場合と比較する時、膜モジュール部１０を通過しつつ供給空気が加湿される程度が低くなる。
【００６７】
その結果、燃料電池システムが低出力の条件では加湿器の加湿性能が能動的に減少され得るようになる。
【００６８】
図４は、燃料電池システムが高出力条件の時を示した図である。燃料電池システムが高出力条件の時、燃料電池スタックに供給される供給空気の圧力が増加するようになる。
【００６９】
供給空気流入流路２４の内部で供給空気の圧力ＰＩＮも相対的に増加するようになり、第１キャップ部ハウジングの内部の排出空気の圧力ＰＥＸもまた増加するようになる。
【００７０】
プレート１１０に加えられる主力は、供給空気の圧力ＰＩＮによってプレート１１０の内側面に加えられる力、排出空気の圧力ＰＥＸによってプレート１１０の外側面に加えられる力、そして、弾性部材１２０によって加えられる弾性力があるが、燃料電池システムが高出力条件の時には弾性力が全体合力において占める比重が低くなる。
【００７１】
通常、空気圧縮機によって加湿器に供給される空気の流れによる圧力降下を考慮する時、加湿器での内部圧力は、第１キャップ部２０の供給空気流入流路２４＞第２キャップ部３０＞膜モジュール部１０の順である。すなわち、供給空気流入流路２４の内部に流動される供給空気の圧力ＰＩＮが第１キャップ部ハウジングの内部空間２２ｓに流動される排出空気の圧力ＰＥＸより通常高い。
【００７２】
したがって、供給空気によって前記プレート１１０の内側面が受ける力と、排出空気によって前記プレート１１０の外側面が受ける力の差によって、プレート１１０が回転しつつ供給空気流入流路２４の外側方向に移動されるようになる。
【００７３】
プレート１１０が回転しつつ供給空気流入流路２４の外側方向に移動されるようになれば、供給空気流入流路２４の、膜モジュール部１０と接する一端部での流路断面積が増加されるようになる。供給空気は、供給空気流入流路２４の広くなった流路に沿って流動しつつ膜モジュール部１０に流入されるようになり、このとき、膜モジュール部１０の全体加湿領域に供給空気が流入されるようになる。このとき、供給空気が流入される膜モジュール部１０の加湿領域を第２有効領域Ａ２と言う時、図４のように第２有効領域Ａ２が表れてよい。
【００７４】
図３と図４を比較すれば、第２有効領域Ａ２が第１有効領域Ａ１より広く表れることを確認できる。
【００７５】
その結果、燃料電池システムが高出力の条件では加湿器の加湿性能が能動的に増加されるようになる。
【００７６】
以上では、高出力と低出力の条件のみを互いに比較して説明したが、燃料電池システムの出力条件が変わるにつれ加湿器の内部の空気圧力も変わるため、それに応じて加湿器の加湿性能が変化し得る。
【００７７】
このように設けられる燃料電池用加湿器は、燃料電池システムの作動条件により加湿器の加湿性能を能動的に調節でき、特に、別途の電源を供給しなくても機械的な構造によって加湿器の加湿性能を調節できるように設けられてよい。
【００７８】
これを介して、燃料電池スタックの内部で発生するドライング又はフラッディングを低減させ、燃料電池スタックの効率を高めることができる。
【００７９】
図５は、本発明の他の実施形態による燃料電池用加湿器を概略的に示した図である。
【００８０】
図５を参照すれば、本実施形態で可変部材２００は供給空気流入流路２４の内部に設置されてよい。
【００８１】
可変部材２００は、ヘッドプレート２１０と、内部弾性部材２２０と、伸縮部材２３０を含んでよい。
【００８２】
ヘッドプレート２１０は、所定厚さのプレート形状に設けられてよい。
【００８３】
内部弾性部材２２０は、ヘッドプレート２１０を弾性支持するために供給空気流入流路２４の内側面に設置されてよい。
【００８４】
伸縮部材２３０は、ヘッドプレート２１０と前記供給空気流入流路２４の間の気密を維持し、前記ヘッドプレート２１０の動きが許容されるようにするために伸縮可能に設けられてよい。
【００８５】
ヘッドプレート２１０と前記伸縮部材２３０によって、前記内部弾性部材２２０が収容される可変部材の内部空間が設けられてよい。
【００８６】
前記供給空気流入流路２４の、前記可変部材２００が設置される部分には貫通ホール２３ｈが形成され、前記貫通ホール２３ｈを介して排出空気が前記可変部材の内部空間に流入され前記ヘッドプレート２１０の外側面を加圧してよい。
【００８７】
供給空気により前記ヘッドプレート２１０の内側面が受ける力と、排出空気により前記ヘッドプレート２１０の外側面が受ける力の差によって、前記ヘッドプレート２１０が、前記内側方向と前記外側方向に移動されてよい。
【００８８】
ヘッドプレート２１０の内側面は、供給空気と接触するようになるヘッドプレート２１０の一面と定義されてよい。ヘッドプレート２１０の外側面は、内部弾性部材２２０によって支持され、排出空気と接触するようになるヘッドプレート２１０の一面と定義されてよい。
【００８９】
前記内側方向は、ヘッドプレート２１０が供給空気流入流路２４の中心に向かう方向と定義されてよい。前記外側方向は、前記内側方向の反対方向と定義されてよい。
【００９０】
図５を参照し、本実施形態による加湿器の動作を説明すれば、以下の通りである。
【００９１】
燃料電池システムが高出力の時には、供給空気流入流路２４の内部の供給空気の圧力ＰＩＮが大きくなり、これによって、供給空気により前記ヘッドプレート２１０の内側面が受ける力と、排出空気により前記ヘッドプレート２１０の外側面が受ける力の差によって、前記ヘッドプレート２１０が、前記外側方向に移動される。
【００９２】
そして、ヘッドプレートの間の距離Ｄが遠くなり、可変部材２００によって定義される流路断面積が増加するようになる。
【００９３】
その結果、膜モジュール部１０の加湿領域のうち供給空気が流入される有効領域が増加され、加湿器の加湿性能が増加するようになる。
【００９４】
一方、燃料電池システムが低出力の時には、供給空気流入流路２４の内部の供給空気の圧力ＰＩＮが小くなり、これによって、供給空気により前記ヘッドプレート２１０の内側面が受ける力と、排出空気により前記ヘッドプレート２１０の外側面が受ける力の差によって、前記ヘッドプレート２１０が、前記内側方向に移動される。このとき、ヘッドプレート２１０が受ける全体合力において、内部弾性部材２２０による弾性力の占める比重が大きくてよく、したがって、弾性力によりヘッドプレート２１０が内側方向に移動されるものと見てもよい。
【００９５】
そして、ヘッドプレートの間の距離Ｄが近くなり、可変部材２００によって定義される流路断面積が減少するようになる。
【００９６】
その結果、膜モジュール部１０の加湿領域のうち供給空気が流入される有効領域が減少され、加湿器の加湿性能が減少するようになる。
【００９７】
以上で本発明は、限定された実施形態と図面によって説明されたが、本発明は、これによって限定されず、本発明の属する技術分野で通常の知識を有する者により、本発明の技術思想と、以下に記載する特許請求の範囲の均等範囲内で多様な実施が可能である。
【符号の説明】
【００９８】
１０：膜モジュール部
１１：加湿膜
１５：排出空気流入口
１７：排出空気排出口
２０：第１キャップ部
２１：供給空気注入口
２２：第１キャップ部ハウジング
２２ｓ：第１キャップ部ハウジングの内部空間
２３：固定流路壁
２３ｈ：流路壁貫通ホール
２４：供給空気流入流路
３０：第２キャップ部
３１：供給空気排出口
３２：第２キャップ部ハウジング
１００、２００：可変部材
１１０：プレート
１２０：弾性部材
１３０：連結部材
１３１：第１連結部材
１３２：第２連結部材
１３３：第３連結部材
２００ｓ：可変部材の内部空間
２１０：ヘッドプレート
２２０：内部弾性部材
２３０：伸縮部材
Ａ１：第１有効領域
Ａ２： 第２有効領域
ＰＩＮ：供給空気の圧力
ＰＥＸ：排出空気の圧力
Ｄ：ヘッドプレートの間の距離
【図１】
2020092079.tif 000003
【図２ａ】
2020092079.tif 000004
【図２ｂ】
2020092079.tif 000005
【図３】
2020092079.tif 000006
【図４】
2020092079.tif 000007
【図５】
2020092079.tif 000008